(57)【特許請求の範囲】
【請求項１】
透明板と該透明板を介して原稿の画像を読み取る読み取り手段とを有する画像読み取り装置に用いられ、該原稿に光を照射する光源装置において、
第１の主面、第２の主面及び側面からなる透明基板と、
前記第１の主面に設けられた面状光源と、
前記第２の主面の全面を覆って、反射面が前記面状光源に対して対向して設けられた第１の反射部材と、
前記透明基板の側面の内、前記読み取り手段における主走査方向に沿って延在し、該読み取り手段が前記透明板を介して前記原稿の画像を読み取る読み取り位置に近接する側の側面を除く前記透明基板の側面の全面を覆って、反射面が該透明基板側に臨んで設けられた第２の反射部材と、
前記読み取り位置に対して、前記読み取り手段における副走査方向に沿って前記透明基板とは反対側に設けられ、該読み取り位置に向けて、前記透明板に対して傾斜する傾斜面を含む第３の反射部材と、
を備え、
前記読み取り位置に近接する側の側面は、
前記読み取り位置に向けて、前記透明板に対して傾斜した傾斜面と、
前記透明板に対して垂直な垂直面と、
を含み、
前記垂直面から前記透明基板外へと出射した光は、前記第３の反射部材により、前記読み取り位置に向けて反射されること、
を特徴とする光源装置。
【請求項２】
透明板と該透明板を介して原稿の画像を読み取る読み取り手段とを有する画像読み取り装置に用いられ、該原稿に光を照射する光源装置において、
第１の主面、第２の主面及び側面からなる透明基板と、
前記第１の主面に設けられた面状光源と、
前記第２の主面に、反射面が前記面状光源に対して対向して設けられた第１の反射部材と、
前記透明基板の側面の全面を覆って、反射面が該透明基板側に臨んで設けられた第２の反射部材と、
前記読み取り手段が前記透明板を介して前記原稿の画像を読み取る読み取り位置に対して、該読み取り手段における副走査方向に沿って前記透明基板とは反対側に設けられた第４の反射部材と、
を備え、
前記透明基板の側面は、前記読み取り手段における主走査方向に延在し、該読み取り位置に対して遠方にある側の第１の側面及び該読み取り位置に近接する側の第２の側面を含み、
前記第１の反射部材は、前記第２の主面に、前記第１の側面から第１の隙間及び前記第２の側面から第２の隙間を空けて設けられており、
前記透明基板は、前記透明板に対して傾斜して、かつ、前記第２の主面を前記読み取り位置に向けて、配置され、
前記第１の隙間から前記透明基板外へ出射する光は、前記第４の反射部材により前記読み取り位置に向けて反射され、前記第２の隙間から該透明基板外へと出射する光は、前記読み取り位置に向けて出射すること、
を特徴とする光源装置。
【請求項３】
前記第１の隙間の幅は、前記第２の隙間の幅よりも大きいこと、
を特徴とする請求項２に記載の光源装置。
【請求項４】
請求項１ないし請求項３のいずれかに記載の光源装置と、
前記透明板と、
前記透明板を介して前記原稿の画像を読み取る前記読み取り手段とを、
備えること、
を特徴とする画像読み取り装置。
【請求項５】
前記光源装置を、前記原稿に対して、前記読み取り手段における副走査方向と平行に移動させる移動手段を、
更に備えること、
を特徴とする請求項４に記載の画像読み取り装置。
【請求項６】
前記透明板上に前記原稿を搬送する搬送手段を、
更に備えること、
を特徴とする請求項４又は請求項５に記載の画像読み取り装置。
【発明の詳細な説明】
【技術分野】
【０００１】
本発明は、光源装置及びこれを備えた画像読み取り装置、より特定的には、面状光源を含んだ光源装置及びこれを備えた画像読み取り装置に関する。
【背景技術】
【０００２】
画像読み取り装置では、一般的に、原稿を照射する光源として蛍光灯が用いられている。このような蛍光灯は、一般に広く普及しているので、安価に入手できるという利点を有する。
【０００３】
しかしながら、蛍光灯は、円形の断面積を有するので、その厚みが大きくなるという問題がある。更に、蛍光灯を点灯させるには、インバータが必要となる。これら蛍光灯及びインバータをスライダー内に内蔵させた場合、スライダーの重量が大きくなり、スライダーを駆動するモーターに大きな負荷がかかる。その結果、画像読み取り装置の消費電力が大きくなってしまうという問題もある。
【０００４】
このような問題を解決する光源として、例えば、特許文献１に記載の原稿読取装置が提案されている。該原稿読取装置は、有機ＥＬ（エレクトロルミネッセンス）素子や無機ＥＬ素子からなる光源を備える。有機ＥＬ素子や無機ＥＬ素子は、ガラス基板上に発光層を形成して構成されているので、その厚みは、蛍光灯に比べて薄くなる。また、インバータが不要なので、スライダーの重量増加の問題も発生しない。すなわち、画像読み取り装置の消費電力の増大の問題も発生しない。
【０００５】
しかしながら、特許文献１に記載の原稿読取装置では、光源が照射した光の利用効率が悪いという問題がある。以下に、図面を参照しながら詳細に説明する。図８は、特許文献１に記載の原稿読取装置の光源装置の構成図、及び、光源装置内における光の強度分布を示したグラフである。図８のグラフでは、縦軸は、光の強度を示し横軸は、副走査方向の位置を示す。構成図内の位置とグラフ内の位置とは対応している。
【０００６】
図８には、光源５００ａ，５００ｂ、プラテンガラス５０６、ミラー５０８及び原稿Ｐが記載されている。また、光源５００ａ，５００ｂはそれぞれ、発光部５０２ａ，５０２ｂ及び透明基板５０４ａ，５０４ｂを含む。
【０００７】
光源５００ａ，５００ｂは、有機ＥＬ素子や無機ＥＬ素子からなる面状光源であり、面発光する。より詳細には、透明基板５０４ａ，５０４ｂの下面に設けられた発光部５０２ａ，５０２ｂが発光し、透明基板５０４ａ，５０４ｂの上面から光が出射する。光源５００ａ，５００ｂからの光は、プラテンガラス５０６を透過して原稿Ｐを照射する。原稿Ｐを照射した光は、該原稿Ｐの読み取り位置Ａにおいて反射し、図８の下方向へと進行し、ミラー５０８及び図示しないミラーにより図示しないＣＣＤ側へと反射する。ＣＣＤは、この光を読み取って原稿Ｐの画像を撮像する。以上のような動作は、光源５００ａ，５００ｂ及びミラー５０８が副走査方向に平行移動しながら行われる。これにより、読み取り位置Ａが原稿Ｐ全面を走査し、ＣＣＤにより原稿Ｐ全面の画像が取得される。
【０００８】
ここで、光源５００ａ，５００ｂは、面状光源であり、面発光する。そのため、光源５００ａ，５００ｂから照射した光は、図８の点線に示すように、光源５００ａ，５００ｂを中心として副走査方向に広がった強度分布を有する。その結果、光源５００ａ，５００ｂが照射した光の合成光の強度分布は、図８の実線に示すように、読み取り位置Ａを中心として、副走査方向に広がった強度分布を有する。
【０００９】
しかしながら、原稿Ｐの画像の読み取りに利用される光は、原稿Ｐの読み取り位置Ａを照射する光のみである。具体的には、ＣＣＤに入射する光は、原稿Ｐにおいて反射した光の内、原稿Ｐの読み取り位置Ａにおいて反射した光である。原稿Ｐの読み取り位置Ａの幅は、カラー画像の画像読み取り装置において、１０画素分程度の幅である。このように、原稿Ｐの読み取り位置Ａは、非常に狭い幅を有するので、光源５００ａ，５００ｂが出射した光の大半は、原稿Ｐの読み取り位置Ａ以外を照射する。その結果、光源５００ａ，５００ｂが出射した光の大半は、原稿Ｐの画像の読み取りに利用されず、光の利用効率は、低くなってしまう。
【特許文献１】特開２０００−１１５４７０号公報
【発明の開示】
【発明が解決しようとする課題】
【００１０】
そこで、本発明の目的は、ＥＬ素子のような面状光源を備え、かつ、光の利用効率が高い光源装置及びこれを備えた画像読み取り装置を提供することである。
【課題を解決するための手段】
【００１６】
第１の発明は、透明板と該透明板を介して原稿の画像を読み取る読み取り手段とを有する画像読み取り装置に用いられ、該原稿に光を照射する光源装置において、第１の主面、第２の主面及び側面からなる透明基板と、前記第１の主面に設けられた面状光源と、前記第２の主面の全面を覆って、反射面が前記面状光源に対して対向して設けられた第１の反射部材と、前記透明基板の側面の内、前記読み取り手段における主走査方向に沿って延在し、該読み取り手段が前記透明板を介して前記原稿の画像を読み取る読み取り位置に近接する側の側面を除く前記透明基板の側面の全面を覆って、反射面が該透明基板側に臨んで設けられた第２の反射部材と、前記読み取り位置に対して、前記読み取り手段における副走査方向に沿って前記透明基板とは反対側に設けられ、該読み取り位置に向けて、前記透明板に対して傾斜する傾斜面を含む第３の反射部材と、を備え、前記読み取り位置に近接する側の側面は、前記読み取り位置に向けて、前記透明板に対して傾斜した傾斜面と、前記透明板に対して垂直な垂直面と、を含み、前記垂直面から前記透明基板外へと出射した光は、前記第３の反射部材により、前記読み取り位置に向けて反射されること、を特徴とする。
【００１８】
第２の発明は、透明板と該透明板を介して原稿の画像を読み取る読み取り手段とを有する画像読み取り装置に用いられ、該原稿に光を照射する光源装置において、第１の主面、第２の主面及び側面からなる透明基板と、前記第１の主面に設けられた面状光源と、前記第２の主面に、反射面が前記面状光源に対して対向して設けられた第１の反射部材と、前記透明基板の側面の全面を覆って、反射面が該透明基板側に臨んで設けられた第２の反射部材と、前記読み取り手段が前記透明板を介して前記原稿の画像を読み取る読み取り位置に対して、該読み取り手段における副走査方向に沿って前記透明基板とは反対側に設けられた第４の反射部材と、を備え、前記透明基板の側面は、前記読み取り手段における主走査方向に延在し、該読み取り位置に対して遠方にある側の第１の側面及び該読み取り位置に近接する側の第２の側面を含み、前記第１の反射部材は、前記第２の主面に、前記第１の側面から第１の隙間及び前記第２の側面から第２の隙間を空けて設けられており、前記透明基板は、前記透明板に対して傾斜して、かつ、前記第２の主面を前記読み取り位置に向けて、配置され、前記第１の隙間から前記透明基板外へ出射する光は、前記第４の反射部材により前記読み取り位置に向けて反射され、前記第２の隙間から該透明基板外へと出射する光は、前記読み取り位置に向けて出射すること、を特徴とする。
【００２０】
第２の発明において、前記第１の隙間の幅は、前記第２の隙間の幅よりも大きくてもよい。
【００２１】
本願発明は、光源装置のみならず、該光源装置を備えた画像読み取り装置に対しても適用可能である。第３の発明は、画像読み取り装置において、前記光源装置と、前記透明板と、前記透明板を介して前記原稿の画像を読み取る前記読み取り手段とを、備えること、を特徴とする。
【００２２】
第３の発明において、前記光源装置を、前記原稿に対して、前記読み取り手段における副走査方向と平行に移動させる移動手段を、更に備えていてもよい。
【００２３】
第３の発明において、前記透明板上に前記原稿を搬送する搬送手段を、更に備えていてもよい。
【発明を実施するための最良の形態】
【００２４】
（第１の実施形態）
以下、本発明の第１の実施形態に係る光源装置及びこれを備えた画像読み取り装置の実施形態について添付図面を参照して説明する。
【００２５】
（画像読み取り装置の全体構成）
図１は、第１の実施形態に係る画像読み取り装置３を備えた複写機１の構成図である。該複写機１は、読み取り位置Ａを通過するように原稿Ｐを搬送する原稿搬送手段としての原稿搬送装置２と、原稿Ｐの画像を光学的に読み取る読み取り手段を含んだ画像読み取り装置３と、前記原稿Ｐの画像を用紙Ｓに印刷する画像形成装置４とからなる。そして、画像読み取り装置３は、プラテンガラス４６上に載置された原稿Ｐの画像を読み取るプラテンセット方式と、原稿搬送装置２によりプラテンガラス４４上を搬送される原稿Ｐの画像を読み取るシートスルー方式との２種類の画像読み取り方式を実行できる。
【００２６】
以下では、説明の簡略のため、「プラテンガラス４４上における原稿Ｐの搬送方向」を「副走査方向」と表記し、「原稿Ｐの副走査方向の上流側」を単に「上流側」と表記し、「原稿Ｐの副走査方向の下流側」を単に「下流側」と表記する。また、図１の紙面に垂直な方向を「主走査方向」と定義する。
【００２７】
まず、原稿搬送装置２の構成について説明する。原稿搬送装置２は、給紙トレイ６、ピックアップローラ８、さばきローラ１０、給紙ローラ１２、レジストローラ対１４、読み取り前ローラ対１６、読み取り後ローラ対１８、排紙ローラ対２０及び排紙トレイ２２を備える。
【００２８】
給紙トレイ６には、複数枚の原稿Ｐが載置される。ピックアップローラ８は、複数枚の原稿Ｐの一部をピックアップする。さばきローラ１０及び給紙ローラ１２は、ピックアップローラ８により複数枚の原稿Ｐがピックアップされた場合には１枚ずつにさばいて搬送する。レジストローラ対１４は、１枚ずつにさばかれて搬送されてきた原稿Ｐの斜行を補正して、読み取り前ローラ対１６に搬送する。読み取り前ローラ対１６は、プラテンガラス４４上に原稿Ｐを搬送する。読み取り後ローラ対１８は、プラテンガラス４４上を通過した原稿Ｐを排紙ローラ対２０へと搬送する。排紙ローラ対２０は、読み取り後ローラ対１８から搬送されてきた原稿Ｐを排紙トレイ２２に排出する。
【００２９】
次に、画像読み取り装置３の構成について説明する。画像読み取り装置３は、原稿Ｐに光を照射し、該原稿Ｐで反射した光を読み取って、原稿Ｐの画像を得る装置であって、第１スライダー２６、第２スライダー２８、結像レンズ３０、ＣＣＤ３２及びプラテンガラス４４，４６を備える。第１スライダー２６は、原稿Ｐに光を照射する光源装置として機能し、光源部３６ａ，３６ｂ及び第１ミラー３８を含む。そこで、以下では、第１スライダー２６を光源装置２６と記載する。第２スライダー２８は、第２ミラー４０及び第３ミラー４２を含む。
【００３０】
プラテンガラス４４は、その上面を原稿Ｐが通過する透明板である。プラテンガラス４４上には、読み取り位置Ａが存在する。シートスルー方式により原稿Ｐの画像が読み取られる場合には、原稿Ｐは、該読み取り位置Ａを通過する際に、原稿Ｐの画像が読み取られる。
【００３１】
プラテンガラス４６は、その上面を原稿Ｐが載置される透明板である。プラテンセット方式により原稿Ｐの画像が読み取られる場合には、原稿Ｐが、プラテンガラス４６上に載置されて、光源装置２６が副走査方向に走査されることにより、読み取り位置Ａが原稿Ｐ上を走査されて、該原稿Ｐの画像が、読み取られる。
【００３２】
光源部３６ａ，３６ｂ、第１ミラー３８、第２ミラー４０、第３ミラー４２、結像レンズ３０及びＣＣＤ３２は、原稿Ｐの画像を光学的に読み取る読み取り手段としての役割を果たす。具体的には、光源部３６ａ，３６ｂは、原稿Ｐに対して光を照射する。該光源部３６の詳細については、後述する。第１ミラー３８、第２ミラー４０及び第３ミラー４２は、原稿Ｐで反射した光を結像レンズ３０へと導く役割を果たす。具体的には、第１ミラー３８は、原稿Ｐで反射した光を図１の左方向へと反射する。第２ミラー４０は、第１ミラー３８が反射した光を図１の下方向へと反射する。第３ミラー４２は、第２ミラー４０が反射した光を図１の右方向へと反射する。
【００３３】
結像レンズ３０は、第１ミラー３８、第２ミラー４０及び第３ミラー４２により反射してきた光を、ＣＣＤ３２に結像する役割を果たす。ＣＣＤ３２は、主走査方向に延びるＲ，Ｇ，Ｂ（Ｒ：レッド、Ｇ：グリーン、Ｂ：ブルー）からなる３ライン分の受光領域を有し、原稿Ｐで反射した光を読み取って主走査方向に延びるＲ，Ｇ，Ｂからなる３ライン分の画像を撮像できる。
【００３４】
ここで、シートスルー方式により原稿Ｐの画像を読み取る場合には、光源装置２６及び第２スライダー２８は、図１に示すように、プラテンガラス４４の下に位置し、移動しない。一方、プラテンセット方式により原稿Ｐの画像を読み取る場合には、光源装置２６及び第２スライダー２８は、プラテンガラス４６の下を副走査方向に平行移動する。光源装置２６の移動速度は、第２スライダー２８の移動速度の２倍である。これにより、光源装置２６及び第２スライダー２８が移動しても、原稿ＰからＣＣＤ３２までの光学距離が変化しないようにしている。
【００３５】
次に、画像形成装置４の構成について説明する。画像形成装置４は、電子写真方式によるカラープリンタであって、いわゆるタンデム式で４色（Ｃ：シアン、Ｍ：マゼンタ、Ｙ：イエロー、Ｋ：ブラック）の画像を合成するように構成したものである。画像形成装置４は、画像読み取り装置３において読み取った原稿Ｐの画像を用紙Ｓに形成する機能を有し、印刷部５２、給紙部５４、制御部５６、定着装置５８及び排紙トレイ６０を備える。
【００３６】
制御部５６は、例えば、ＣＰＵにより構成され、複写機１全体の動作を制御する。例えば、制御部５６は、画像読み取り装置３のＣＣＤ３２が生成したＲ，Ｇ，Ｂの画像データをＹ，Ｍ，Ｃ，Ｋの画像データに変換する。
【００３７】
給紙部５４は、用紙Ｓを一枚ずつ供給する役割を果たし、用紙トレイ６４及び給紙ローラ６６を含む。用紙トレイ６４は、印刷前の状態の用紙Ｓが複数枚重ねて載置される。給紙ローラ６６は、用紙トレイ６４に載置された用紙Ｓを一枚ずつ取り出す。
【００３８】
印刷部５２は、給紙部５４から供給されてくる用紙Ｓに画像を印刷する画像印刷手段としての役割を果たし、画像形成ステーション６８（６８Ｙ，６８Ｍ，６８Ｃ，６８Ｋ）、１次転写ローラ７０（７０Ｙ，７０Ｍ，７０Ｃ，７０Ｋ）、転写ベルト７２、駆動ローラ７４、従動ローラ７６、２次転写ローラ７８、クリーニングブレード８０及び露光装置８２を含む。また、画像形成ステーション６８（６８Ｙ，６８Ｍ，６８Ｃ，６８Ｋ）は、感光体ドラム８４（８４Ｙ，８４Ｍ，８４Ｃ，８４Ｋ）、帯電器８６（８６Ｙ，８６Ｍ，８６Ｃ，８６Ｋ）、現像装置８８（８８Ｙ，８８Ｍ，８８Ｃ，８８Ｋ）及びクリーナー９０（９０Ｙ，９０Ｍ，９０Ｃ，９０Ｋ）を含む。以下では、個別の画像形成ステーション６８、１次転写ローラ７０、感光体ドラム８４、帯電器８６及び現像装置８８及びクリーナー９０を指すときには、参照符号の後ろにＹ，Ｍ，Ｃ，Ｋを付して表記し、画像形成ステーション６８、１次転写ローラ７０、感光体ドラム８４、帯電器８６、現像装置８８及びクリーナー９０を総称する場合には、参照符号の後ろにＹ，Ｍ，Ｃ，Ｋを付さずに表記する。
【００３９】
帯電器８６は、感光体ドラム８４の周面を帯電させる。露光装置８２は、制御部５６が変換したＹ，Ｍ，Ｃ，Ｋの画像データに基づいて、感光体ドラム８４に対してビームを照射する。これにより、感光体ドラム８４の周面には静電潜像が形成される。現像装置８８の現像ローラは、該静電潜像が形成された感光体ドラム８４に対して、トナーを供給することにより、感光体ドラム８４の周面にトナー画像を形成する。
【００４０】
１次転写ローラ７０は、感光体ドラム８４に形成されたトナー画像を、駆動ローラ７４と従動ローラ７６との間に張り渡された転写ベルト７２に転写する。転写ベルト７２は、１次転写ローラ７０により転写されたトナー画像を担持する像担持体としての役割を果たす。
【００４１】
駆動ローラ７４は、図示しないモーターにより回転させられることにより、転写ベルト７２を図１の矢印の方向に駆動する役割を果たす。２次転写ローラ７８は、トナー画像を用紙Ｓへ転写させるために、転写ベルト７２及び駆動ローラ７４と共に該用紙Ｓを挟む転写部材としての役割を果たす。トナー画像は、転写ベルト７２が駆動させられることにより、駆動ローラ７４と２次転写ローラ７８とにより構成されるニップ部Ｎまで搬送される。２次転写ローラ７８には、バイアス電圧が印加されており、負の電荷を持ったトナー粒子により構成されるトナー画像は、該バイアス電圧により２次転写ローラ７８側へと引き寄せられて、給紙部５４から搬送されてきた用紙Ｓに転写される。クリーニングブレード８０は、トナー画像の転写が終了した転写ベルト７２に残留したトナーを回収する。クリーナー９０は、感光体ドラム８４に残留したトナーを回収する。
【００４２】
定着装置５８は、用紙Ｓに対して加熱処理及び加圧処理を施すことにより、トナー画像を用紙Ｓに定着させる定着手段としての役割を果たす。排紙トレイ６０には、印刷済みの用紙Ｓが載置される。
【００４３】
（光源装置の構成）
以下に、光源装置２６の構成について図面を参照しながら説明する。図２は、第１の実施形態に係る光源装置２６の構成図、及び、原稿Ｐを照射する光の強度分布を示したグラフである。構成図では、主走査方向に垂直な面における断面構造図と、光源部３６ａの上視図とを示した。
【００４４】
図２に示すように、光源装置２６は、光源部３６ａ，３６ｂ及び第１ミラー３８を含む。光源部３６ａは、原稿Ｐの読み取り位置Ａに向けて光を出射し、発光部１００ａ、透明基板１０２ａ及び反射部材１１６ａ，１１８ａ，１２０ａ，１２２ａを含む。また、光源部３６ｂは、原稿Ｐの読み取り位置Ａに向けて光を出射し、発光部１００ｂ、透明基板１０２ｂ及び反射部材１１６ｂ，１１８ｂ，１２０ｂ，１２２ｂ（反射部材１２０ｂ，１２２ｂは図示せず）を含む。光源部３６ａと光源部３６ｂとは、読み取り位置Ａを挟んで対向するように配置されている。ここで、光源部３６ａと光源部３６ｂとは、同じ構成を有するので、参照符号の後のａ，ｂを省略して、光源部３６の構成について説明する。また、光源装置２６は、プラテンガラス４４，４６のいずれの下にも位置しうるが、以下では、光源装置２６がプラテンガラス４６の下に位置しているものとして説明を行う。
【００４５】
発光部１００及び透明基板１０２は、有機ＥＬ素子により構成される。より詳細には、透明基板１０２は、第１の主面１０４、第２の主面１０６及び側面１０８，１１０，１１２，１１４からなるガラス基板であり、平面視した状態で、主走査方向に延びる矩形状の形状を有する。側面１０８と側面１１０とは対向し主走査方向（長手方向）に延びる。側面１１２と側面１１４とは対向し、主走査方向の両端に位置する。透明基板１０２は、プラテンガラス４６に対して略平行に配置されている。
【００４６】
発光部１００は、透明基板１０２の第１の主面１０４上に、透明電極、発光層及び背面電極が積層されて形成され、透明電極と背面電極との間に電流が流されることにより面状発光する面状光源である。発光部１００が発光すると、透明基板１０２内に光が出射する。ＥＬ素子の発光部１００の構成は周知であるので、これ以上の詳細な説明を省略する。
【００４７】
反射部材１１６は、透明基板１０２の第２の主面１０６において、反射面が発光部１００と対向するように設けられる。図２では、反射部材１１６は、第２の主面１０６の全面を覆っている。これにより、第２の主面１０６から透明基板１０２外へと出射しようとする光は、透明基板１０２外に出射することなく、反射部材１１６により透明基板１０２内に反射するようになる。
【００４８】
反射部材１１８は、透明基板１０２の側面１０８において、反射面が該透明基板１０２側を向くように設けられる。図２では、反射部材１１８は、側面１０８の全面を覆っている。これにより、側面１０８から透明基板１０２外へと出射しようとする光は、透明基板１０２外に出射することなく、反射部材１１８により透明基板１０２内に反射するようになる。
【００４９】
反射部材１２０は、透明基板１０２の側面１１２において、反射面が該透明基板１０２側を向くように設けられる。図２では、反射部材１２０は、側面１１２の全面を覆っている。これにより、側面１１２から透明基板１０２外へと出射しようとする光は、透明基板１０２外に出射することなく、反射部材１２０により透明基板１０２内に反射するようになる。
【００５０】
反射部材１２２は、透明基板１０２の側面１１４において、反射面が該透明基板１０２側を向くように設けられる。図２では、反射部材１２２は、側面１１４の全面を覆っている。これにより、側面１１４から透明基板１０２外へと出射しようとする光は、透明基板１０２外に出射することなく、反射部材１２２により透明基板１０２内に反射するようになる。
【００５１】
反射部材１１６，１１８，１２０，１２２は、例えば、アルミニウムを透明基板１０２に蒸着させることにより形成される。この他、反射部材１１６，１１８，１２０，１２２は、鏡面が形成されたシールが透明基板１０２に貼り付けられて形成されてもよい。
【００５２】
側面１１０には、反射部材は設けられない。すなわち、反射部材１１６，１１８，１２０，１２２は、透明基板１０２の側面１０８，１１０，１１２，１１４の少なくとも一部（側面１０８，１１２，１１４）において、反射面が透明基板１０２側を向くように設けられる。そのため、図２の矢印に示すように、発光部１００から透明基板１０２内へと出射した光は、反射部材１１６，１１８，１２０，１２２により反射して、反射部材１１６，１１８，１２０，１２２及び発光部１００が設けられていない部分（側面１１０）から透明基板１０２外へと出射する。
【００５３】
ここで、透明基板１０２は、図２に示すように、プラテンガラス４６に対して、略平行に配置されている。そのため、側面１１０が第１の主面１０４に対して垂直に設けられていると、光は、側面１１０に対する法線方向に進行する。すなわち、光は、副走査方向に進行してしまい、原稿Ｐの読み取り位置Ａを照射しない。そこで、光源部３６では、側面１１０は、プラテンガラス４６を向くように、第２の主面１０６に対して傾斜している。これにより、光は、図２において、斜め上方に出射するようになり、原稿Ｐの読み取り位置Ａを、集中的に照射するようになる。
【００５４】
以上のように、本実施形態に係る光源装置２６及び画像読み取り装置３によれば、光源部３６の第１の主面１０４、第２の主面１０６及び側面１０８，１１２，１１４が反射部材１１６，１１８，１２０，１２２により覆われている。そのため、光源部３６の発光部１００が出射した光は、反射部材１１６，１１８，１２０，１２２により反射して、側面１１０のみから透明基板１０２へと出射するようになる。すなわち、第１の主面１０４、第２の主面１０６及び側面１０８，１１２，１１４から出射すべき光が、側面１１０から集中して出射するようになる。これにより、図２のグラフに示すように、副走査方向へ狭い広がりの強度分布を持った光が、光源部３６ａ，３６ｂから原稿Ｐの読み取り位置Ａを照射するようになる。その結果、図２のグラフに示す光源部３６ａ，３６ｂが出射した光の合成光は、図８に示す合成光に比べて、原稿Ｐの読み取り位置Ａに集中した強度分布を有するようになる。すなわち、光源部３６ａ，３６ｂが出射した光を原稿Ｐの読み取り位置Ａに集中させることができ、光の利用効率を向上させることが可能となる。
【００５５】
また、側面１１０は、プラテンガラス４６を向くように、第２の主面１０６に対して傾斜しているので、側面１１０から出射した光は、図２の斜め上方向に進行するようになる。その結果、光源装置２６の薄型化を図るために光源部３６をプラテンガラス４６に対して略平行に配置したとしても、光源部３６から出射する光を原稿Ｐの読み取り位置Ａに照射することが可能となる。すなわち、側面１１０を傾斜させることにより、光源装置２６の薄型化と光の利用効率の向上とを両立させることができる。
【００５６】
また、二つの光源部３６ａ，３６ｂは、側面１１０ａと側面１１０ｂとが対向するように設けられているので、原稿Ｐの読み取り位置Ａにおける光の強度分布は、原稿Ｐの読み取り位置Ａに対して対称となる。そのため、画像読み取り装置３は、原稿Ｐが本である場合には、頁の継ぎ目に対して均等に光を照射できるようになる。
【００５７】
（変形例）
以下に、第１の実施形態に係る光源装置２６の第１の変形例について図面を参照しながら説明する。図３は、第１の変形例に係る光源装置２６−１の構成図、及び、原稿Ｐを照射する光の強度分布を示したグラフである。以下では、光源部３６−１ａと光源部３６−１ｂとは、同じ構成を有するので、参照符号の後のａ，ｂを省略して、光源部３６−１の構成について説明する。
【００５８】
光源装置２６と光源装置２６−１との相違点は、光源装置２６では、透明基板１０２の第１の主面１０４と第２の主面１０６とが平行であるのに対して、光源装置２６−１では、透明基板１０２−１の第１の主面１０４−１と第２の主面１０６−２とが平行ではない点である。そこで、この相違点について説明をする。
【００５９】
図３に示すように、光源部３６−１では、第１の主面１０４−１と第２の主面１０６−１との間隔は、副走査方向において、側面１１０−１に近づくに従って、大きくなっている。このように、第１の主面１０４−１と第２の主面１０６−１とが配置されることにより、発光部１００−１が出射した光及び反射部材１１６−１で反射した光は、図３の矢印に示すように、側面１１０−１側に向かって進行し易くなる。その結果、側面１１０−１からより多くの光が出射するようになり、図３のグラフに示すように、原稿Ｐの読み取り位置Ａを照射する光の強度がより強くなる。
【００６０】
光源部３６−１のその他の構成については、光源部３６と同じであるので説明を省略する。
【００６１】
次に、第１の実施形態に係る光源装置２６の第２の変形例について図面を参照しながら説明する。図４は、第２の変形例に係る光源装置２６−２の構成図、及び、原稿Ｐを照射する光の強度分布を示したグラフである。以下では、光源部３６−２ａと光源部３６−２ｂとは、同じ構成を有するので、参照符号の後のａ，ｂを省略して、光源部３６−２の構成について説明する。
【００６２】
光源装置２６と光源装置２６−２との相違点は、光源装置２６では、側面１１０から光が出射していたのに対して、光源装置２６−２では、第２の主面１０６−２から光が出射している点である。そこで、この相違点について説明をする。
【００６３】
図４に示すように、光源部３６−２では、側面１１０−２を覆うように反射部材１１９−２が設けられている。これにより、側面１１０−２から光が透明基板１０２−２外へと出射しないようにしている。その代わり、光源部３６−２では、第２の主面１０６−２の一部に反射部材１１６−２が設けられていない。この第２の主面１０６−２の反射部材１１６−２が設けられていない部分から透明基板１０２−２外へと、光が出射する。
【００６４】
以上のような光源装置２６−２においても、第２の主面１０６−２の一部及び側面１０８−２，１１０−２，１１２−２，１１４−２から出射すべき光が、第２の主面１０６−２の反射部材１１６−２が設けられていない部分から集中して出射するようになる。その結果、光源部３６−２は、図２に示す光源部３６と同様に、光の利用効率を向上させることができる。
【００６５】
（第２の実施形態）
以下に、本発明の第２の実施形態に係る光源装置及び画像読み取り装置について図面を参照しながら説明する。本実施形態に係る画像読み取り装置の構成は、光源装置２６内の構成のみにおいて、図１に示す画像読み取り装置３の構成と相違する。そこで、以下では、第２の実施形態に係る光源装置２６−３の構成について図面を参照しながら説明する。図５は、第２の実施形態に係る光源装置２６−３の構成図、及び、原稿Ｐを照射する光の強度分布を示したグラフである。
【００６６】
光源装置２６−３は、図５に示すように、光源部３６−３、第１ミラー３８及び反射部材１４０を含む。図５における第１ミラー３８は、図２の第１ミラー３８と同じであるので、説明を省略する。
【００６７】
図２に示す光源装置２６と図５に示す光源装置２６−３との第１の相違点は、光源部３６では、側面１１０全体が第２の主面１０６に対して傾斜していたのに対して、光源部３６−３では、プラテンガラス４６を向くように、第２の主面１０６に対して傾斜した傾斜面１４２−３、及び、第１の主面１０４に対して垂直な垂直面１４４−３を、側面１１０が含んでいる点である。また、図２に示す光源装置２６と図５に示す光源装置２６−３との第２の相違点は、図２に示す光源装置２６では、光源部３６ａ，３６ｂが設けられているのに対して、図５に示す光源装置２６−３では、光源部３６−３、及び、垂直面１４４−３に対向する反射部材１４０が設けられている点である。
【００６８】
側面１１０が、傾斜面１４２−３及び垂直面１４４−３を含むことにより、傾斜面１４２−３からは、原稿Ｐの読み取り位置Ａに向けて光が出射すると共に、垂直面１４４−３からは、反射部材１４０に向けて光が出射するようになる。反射部材１４０は、垂直面１４４−３から出射した光を、プラテンガラス４６側に反射する。これにより、原稿Ｐの読み取り位置Ａに対して、光源部３６−３側及び反射部材１４０側の２方向から光が照射する。
【００６９】
以上のような光源装置２６−３によれば、光源部３６−３から出射した光の一部は、原稿Ｐの読み取り位置Ａを直接に照射し、光源部３６−３から出射した光の残りの一部は、反射部材１４０により反射して原稿Ｐの読み取り位置Ａを照射する。そのため、光源装置２６−３は、一つの光源部３６−３により、原稿Ｐの読み取り位置Ａを２方向から照射できる。
【００７０】
（変形例）
以下に、第２の実施形態に係る光源装置２６−３の第１の変形例について図面を参照しながら説明する。図６は、第１の変形例に係る光源装置２６−４の構成図、及び、原稿Ｐを照射する光の強度分布を示したグラフである。
【００７１】
光源装置２６−３と光源部２６−４との第１の相違点は、光源装置２６−３では、透明基板１０２−３とプラテンガラス４６とが平行であったのに対して、光源装置２６−４では、透明基板１０２−４は、原稿Ｐの読み取り位置Ａ側を向くようにプラテンガラス４６に対して傾斜している点である。
【００７２】
また、第２の相違点は、光源装置２６−３では、側面１１０−３には反射部材が設けられていないのに対して、光源装置２６−４では、側面１１０−４に反射部材１１９−４が設けられている点において相違点を有する。更に、光源装置２６−４では、図６に示すように、第２の主面１０６−４において、側面１０８−４，１１０−４から隙間を空けて、反射部材１１６−４が設けられている。以下、第２の主面１０６−４における側面１０８−４と反射部材１１６−４との間の隙間を隙間１４６−４と称し、第２の主面１０６−４における側面１１０−４と反射部材１１６−４との間の隙間を隙間１４８−４と称す。隙間１４６−４の副走査方向における幅Ｌ１と隙間１４８−４の副走査方向における幅Ｌ２とは、図６に示すように等しい。
【００７３】
光源部３６−４のように、第２の主面１０６−４において、側面１０８−４，１１０−４から隙間１４６−４，１４８−４が空けられた状態で、反射部材１１６−４が設けられることにより、隙間１４６−４，１４８−４から光が出射するようになる。ここで、透明基板１０２−４は、原稿Ｐの読み取り位置Ａ側を向くようにプラテンガラス４６に対して傾斜している。そのため、隙間１４６−４から出射した光は、原稿Ｐの読み取り位置Ａを直接に照射する。一方、隙間１４８−４から出射した光は、第２の主面１０６−４と対向するように設けられた反射部材１４０側へと進行する。そして、反射部材１４０は、プラテンガラス４６側へと光を反射する。これにより、原稿Ｐの読み取り位置Ａに対して、光源部３６−４側及び反射部材１４０側の２方向から光が照射する。
【００７４】
以上のような光源装置２６−４によれば、光源部３６−４から出射した光の一部は、原稿Ｐの読み取り位置Ａを直接に照射し、光源部３６−４から出射した光の残りの一部は、反射部材１４０により反射して原稿Ｐの読み取り位置Ａを照射する。そのため、光源装置２６−４は、一つの光源部３６−４により、原稿Ｐの読み取り位置Ａを２方向から照射できる。
【００７５】
また、図６において、反射部材１１６−４がない場合には、第２の主面１０６−４の中央部から出射した光は、原稿Ｐの読み取り位置Ａを照射することなく、原稿Ｐの他の部分を照射する。そこで、反射部材１１６−４が第２の主面１０６−４の中央部に設けられることにより、第２の主面１０６−４の中央部から出射しようとする光は、反射部材１１６−４において反射して、隙間１４６−４又は隙間１４８−４から出射するようになる。これにより、第２の主面１０６−４の中央部から出射しようとする光も原稿Ｐの読み取り位置Ａに照射するようになり、光源部３６−４において、光の利用効率が向上する。
【００７６】
次に、第２の実施形態に係る光源装置２６−３の第２の変形例について図面を参照しながら説明する。図７は、第２の変形例に係る光源装置２６−５の構成図、及び、原稿Ｐを照射する光の強度分布を示したグラフである。
【００７７】
図６に示す光源装置２６−４と図７に示す光源装置２６−５との相違点は、光源装置２６−４では、隙間１４６−４の副走査方向における幅Ｌ１と隙間１４８−４の副走査方向における幅Ｌ２とが等しいが、光源装置２６−５では、隙間１４６−５の副走査方向における幅Ｌ１が、隙間１４８−５の副走査方向における幅Ｌ２よりも小さい。
【００７８】
以上のような光源装置２６−５によれば、光源部３６−５側から原稿Ｐの読み取り位置Ａを照射する光の強度と反射部材１４０側から原稿Ｐの読み取り位置Ａを照射する光の強度とを等しくできる。以下に説明する。
【００７９】
光源装置２６−４では、図６のグラフに示すように、光源部３６−４側から照射する光の強度と反射部材１４０側から照射する光の強度とは、以下に説明する理由により異なっていた。図６に示すように、光源部３６−４の透明基板１０２−４は、プラテンガラス４６に対して傾斜している。そのため、隙間１４６−４から原稿Ｐの読み取り位置Ａまでの距離は、隙間１４８−４から原稿Ｐの読み取り位置Ａまでの距離よりも短くなる。その結果、隙間１４８−４から出射した光は、隙間１４６−４から出射した光よりも大きく減衰する。すなわち、隙間１４６−４から出射する光の強度と隙間１４８−４から出射する光の強度とが等しい場合には、光源部３６−４側から原稿Ｐの読み取り位置Ａを照射する光の強度の方が、反射部材１４０側から原稿Ｐの読み取り位置Ａを照射する光の強度よりも強くなってしまう。
【００８０】
そこで、光源装置２６−５では、隙間１４６−５の副走査方向における幅Ｌ１を、隙間１４８−５の副走査方向における幅Ｌ２よりも小さくしている。これにより、隙間１４８−５から出射する光の強度は、隙間１４６−５から出射する光の強度よりも強くなる。隙間１４８−５から出射する光は、隙間１４６−５から照射する光よりも大きく減衰するので、原稿Ｐの読み取り位置Ａにおいて、光源部３６−５側から照射する光の強度と反射部材１４０側から照射する光の強度とは、等しくなる。
【００８１】
なお、発光部１００−１〜１００−５は、有機ＥＬ素子であるとしたが、発光部１００−１〜１００−５は、無機ＥＬ素子であってもよい。
【００８２】
なお、光源装置２６，２６−１，２６−２，２６−３，２６−４，２６−５は、便宜上、第１スライダーであるとしたが、これらは必ずしも第１スライダーである必要はない。すなわち、光源装置２６，２６−１，２６−２，２６−３，２６−４，２６−５は、光源部３６ａ，３６ｂ、３６−１ａ，３６−１ｂ，３６−２ａ，３６−２ｂ，３６−３，３６−４，３６−５及び反射部材１４０を含んだ構成要素であればよい。
【図面の簡単な説明】
【００８３】
【図１】第１の実施形態に係る画像読み取り装置を備えた複写機の構成図である。
【図２】第１の実施形態に係る光源装置の構成図、及び、原稿を照射する光の強度分布を示したグラフである。
【図３】第１の変形例に係る光源装置の構成図、及び、原稿を照射する光の強度分布を示したグラフである。
【図４】第２の変形例に係る光源装置の構成図、及び、原稿を照射する光の強度分布を示したグラフである。
【図５】第２の実施形態に係る光源装置の構成図、及び、原稿を照射する光の強度分布を示したグラフである。
【図６】第１の変形例に係る光源装置の構成図、及び、原稿を照射する光の強度分布を示したグラフである。
【図７】第２の変形例に係る光源装置の構成図、及び、原稿を照射する光の強度分布を示したグラフである。
【図８】特許文献１に記載の原稿読取装置の光源装置の構成図、及び、光源装置内における光の強度分布を示したグラフである。
【符号の説明】
【００８４】
１  複写機
２  原稿搬送装置
３  画像読み取り装置
２６，２６−１，２６−２，２６−３，２６−４，２６−５  光源装置
３６ａ，３６ｂ，３６−１ａ，３６−１ｂ，３６−２ａ，３６−２ｂ，３６−３，３６−４，３６−５  光源部
４４，４６  プラテンガラス
１００ａ，１００ｂ，１００−１ａ，１００−１ｂ，１００−２ａ，１００−２ｂ，１００−３，１００−４，１００−５  発光部
１０２ａ，１０２ｂ，１０２−１ａ，１０２−１ｂ，１０２−２ａ，１０２−２ｂ，１０２−３，１０２−４，１０２−５  透明基板
１０４ａ，１０４ｂ，１０４−１ａ，１０４−１ｂ，１０４−２ａ，１０４−２ｂ，１０４−３，１０４−４，１０４−５  第１の主面
１０６ａ，１０６ｂ，１０６−１ａ，１０６−１ｂ，１０６−２ａ，１０６−２ｂ，１０６−３，１０６−４，１０６−５  第２の主面
１０８ａ，１０８ｂ，１０８−１ａ，１０８−１ｂ，１０８−２ａ，１０８−２ｂ，１０８−３，１０８−４，１０８−５，１１０ａ，１１０ｂ，１１０−１ａ，１１０−１ｂ，１１０−２ａ，１１０−２ｂ，１１０−３，１１０−４，１１０−５，１１２ａ，１１２−４，１１２−５，１１４ａ，１１４−４，１１４−５  側面
１１６ａ，１１６ｂ，１１６−１ａ，１１６−１ｂ，１１６−２ａ，１１６−２ｂ，１１６−３，１１６−４，１１６−５，１１８ａ，１１８ｂ，１１８−１ａ，１１８−１ｂ，１１８−２ａ，１１８−２ｂ，１１８−３，１１８−４，１１８−５，１１９−２ａ，１１９−２ｂ，１１９−４，１１９−５，１２０ａ，１２０−４，１２０−５，１２２ａ，１２２−４，１２２−５，１４０  反射部材
１４２−３  傾斜面
１４４−３  垂直面
１４６−４，１４６−５，１４８−４，１４８−５  隙間
Ａ  読み取り位置
Ｐ  原稿
【図１】
0004954856.tif 000002
【図２】
0004954856.tif 000003
【図３】
0004954856.tif 000004
【図４】
0004954856.tif 000005
【図５】
0004954856.tif 000006
【図６】
0004954856.tif 000007
【図７】
0004954856.tif 000008
【図８】
0004954856.tif 000009